(57)【特許請求の範囲】
【請求項１】
湯水を吐出する水栓と、
槽体の底部に設けられた排水口と、
昇降運動によって前記排水口の開閉を行う弁体よりなる排水装置に設けられた、
前記弁体の昇降運動の操作を遠隔的に行うスイッチ部を有する遠隔操作式排水栓装置を形成する補助部材であって、
前記補助部材は、槽体や水栓等、所望の箇所に固定される固定部と、
前記スイッチ部と連続するスイッチ軸に連結される連結部と、
前記スイッチ軸と連結部の連結位置の調整を行う調整部と、
前記スイッチ部の操作を弁体に伝達するレリースワイヤからなることを特徴とする遠隔操作式排水栓装置の補助部材。
【請求項２】
湯水を吐出する水栓と、
槽体の底部に設けられた排水口と、
昇降運動によって前記排水口の開閉を行う弁体よりなる排水装置に設けられた、
前記弁体の昇降運動の操作を行うスイッチ部と、
前記スイッチ部と連続するスイッチ軸と連動し、スイッチ部の操作を弁体に伝達する棒状の伝達部からなる遠隔操作式排水栓装置の改修に用いられる補助部材であって、
前記補助部材は、槽体や水栓等、所望の箇所に固定される固定部と、
前記遠隔操作式排水栓装置のスイッチ軸に連結される連結部と、
前記スイッチ部の操作を弁体に伝達するレリースワイヤからなり、
前記連結部が前記スイッチ軸に連結されることにより、前記棒状の伝達部をレリースワイヤに変更することを特徴とする遠隔操作式排水栓装置の補助部材。
【請求項３】
前記棒状の伝達部を有する遠隔操作式排水栓装置が、スイッチ部を押し引き動作することによって前記弁体の昇降運動の操作を行う遠隔操作式排水栓装置であって、
前記補助部材は前記弁体の上昇状態若しくは下降状態を保持するロック機構を有し、
前記補助部材が前記スイッチ軸に連結されることで、前記スイッチ部を押し動作することのみによって前記弁体の昇降操作を行うことが可能となることを特徴とする請求項２に記載の遠隔操作式排水栓装置の補助部材。
【請求項４】
湯水を吐出する水栓と、
槽体の底部に設けられた排水口と、
昇降運動によって前記排水口の開閉を行う弁体よりなる排水装置に設けられた、
押し引き動作に基づいて前記弁体の昇降運動の操作を行うスイッチ部と、
前記スイッチ部と連続するスイッチ軸と連動し、スイッチ部の操作を弁体に伝達する伝達部からなる遠隔操作式排水栓装置の改修に用いられる補助部材であって、
前記補助部材は、槽体や水栓等、所望の箇所に固定される固定部と、
前記遠隔操作式排水栓装置のスイッチ軸若しくは伝達部に連結される連結部と、
前記スイッチ部の操作を弁体に伝達するレリースワイヤと、
前記弁体の上昇状態若しくは下降状態を保持するロック機構からなり、
前記連結部が前記スイッチ軸若しくは伝達部に連結されることで、前記スイッチ部を押し動作することのみによって前記弁体の昇降操作を行うことが可能となることを特徴とする遠隔操作式排水栓装置の補助部材。
【請求項５】
前記補助部材が、
前記スイッチ軸と連結部の連結位置の調整を行う調整部を有することを特徴とする請求項２乃至請求項４のいずれか１つに記載の遠隔操作式排水栓装置の補助部材。
【請求項６】
前記スイッチ軸が、前記水栓に取り付けられていることを特徴とする請求項１乃至請求項５のいずれか１つに記載の遠隔操作式排水栓装置の補助部材。
【請求項７】
前記固定部が、水栓下部の、水栓を固定する螺子部に固定されることを特徴とする請求項１乃至請求項６のいずれか１つに記載の遠隔操作式排水栓装置の補助部材。
【請求項８】
槽体に湯水を吐水する水栓と、
槽体の底部に設けられた排水口と、
昇降運動によって前記排水口の開閉を行う弁体よりなる排水装置に設けられた、
押し引き動作によって前記弁体の昇降運動の操作を行うスイッチ部と、
前記スイッチ部と連続するスイッチ軸と、
前記スイッチ軸と連動して動作する棒状の伝達部からなる遠隔操作式排水栓装置の改修方法であって、
前記伝達部、及び伝達部が連通する排水口下方の配管部材を取り外し、
請求項２乃至請求項７のいずれか１つに記載の補助部材及び補助部材のレリースワイヤが取り付けられる新規の配管部材を前記配管部材に換えて接続し、
前記補助部材の固定部を固定し、
前記補助部材の連結部を前記スイッチ軸に連結して行うことを特徴とする遠隔操作式排水栓装置の改修方法。
【請求項９】
前記補助部材の連結部を前記スイッチ軸に連結する際において、前記スイッチ軸を適宜長さにおいて切断した後に連結することを特徴とする請求項８に記載の遠隔操作式排水栓装置の改修方法。
【請求項１０】
槽体に湯水を吐水する水栓と、
槽体の底部に設けられた排水口と、
昇降運動によって前記排水口の開閉を行う弁体と、
押し引き動作によって前記弁体の昇降運動の操作を行うスイッチ部と、
前記スイッチ部と連続するスイッチ軸と、
前記スイッチ軸と連動して進退を行うワイヤー状の伝達部からなる遠隔操作式排水栓装置の改修方法であって、
前記伝達部、及び伝達部が連通する排水口下方の配管部材を取り外し、
請求項４乃至請求項７のいずれか１つに記載の補助部材及び補助部材のレリースワイヤが取り付けられる新規の配管部材を前記配管部材に換えて接続し、
前記補助部材の固定部を固定し、
前記補助部材の連結部を前記スイッチ軸に連結して行うことを特徴とする遠隔操作式排水栓装置の改修方法。
【発明の詳細な説明】
【技術分野】
【０００１】
本発明は、湯水を吐出する水栓と、シンク・洗面ボウル等の、底部に排水口を備えた槽体よりなる排水装置と、当該排水装置に設けられ、排水口に取り付けられた弁体を遠隔的に操作する遠隔操作式排水栓装置を形成する補助部材、及び当該補助部材を用いた遠隔操作式排水栓装置の改修方法に関するものである。
【背景技術】
【０００２】
特許文献１に記載の排水装置は、湯水を吐水する水栓と、槽体の底部に設けられた排水口と、昇降運動によって前記排水口の開閉を行う弁体を有している。又、前記排水装置は、前記弁体の昇降運動の操作を行うスイッチ部と、前記スイッチ部と連続するスイッチ軸と連動し、スイッチ部の操作を伝達する棒状の伝達部よりなる遠隔操作式排水栓装置が設けられている。
【０００３】
尚、上記特許文献１に記載の遠隔操作式排水栓装置においては、伝達部が略水平に延びる棒状であり、前記スイッチ部に対して押し引き動作を加えることで、当該伝達部の弁体側の端部が連動して昇降することによって弁体への操作を行う。
【先行技術文献】
【特許文献】
【０００４】
【特許文献１】特開２００２−２５６５９８号公報
【発明の概要】
【発明が解決しようとする課題】
【０００５】
上記特許文献１に記載の排水装置に設けられた遠隔操作式排水栓装置はその構造上、スイッチ部を押し引き動作することによって弁体を昇降させる。しかし、当該スイッチ部を押し引き動作することによって弁体の昇降運動を操作する構造では、スイッチ部の押し引き動作時（特に引き動作時）には大きな力が必要であり、子どもや老人など、腕力が強くない者では十分にスイッチ部を押し引き動作することが困難であった。
従って、近年では、スイッチ部を押し動作するのみで弁体の昇降運動を操作する構造、特に伝達部としてレリースワイヤとよばれる部材を利用した遠隔操作式排水栓装置に対する需要が増加している。
尚、前記棒状の伝達部を備える遠隔操作式排水栓装置は、スイッチ部の押し引き動作に係るストローク長さが上記レリースワイヤを使用した遠隔操作式排水栓装置に比べて長く、その点でも伝達部としてレリースワイヤを使用した遠隔操作式排水栓装置に対する需要が増加している。
又、当該需要の増加に伴い、押し引き動作により弁体の昇降運動を操作する構造の遠隔操作式排水栓装置を、前記レリースワイヤを利用し、押し動作するのみで弁体の昇降運動を操作する構造の遠隔操作式排水栓装置に交換することに対する需要が増加している。（尚、レリースワイヤは外側を覆う筒状のアウターチューブと内部のワイヤ材であるインナーワイヤより構成され、軸方向に剛性を有し、側面方向に可撓性を有する部材であって、前記インナーワイヤが進退を行うことによって弁体を昇降させる構造となっている。）
【０００６】
しかし、上記特許文献１に記載の構造のように、スイッチ部（及びスイッチ軸）が水栓に取り付けられている場合、スイッチ部及びスイッチ部と連続するスイッチ軸はそれぞれの水栓にのみ適合する形状をしていることが多く（それぞれの水栓によってスイッチ部と連続するスイッチ軸の径が異なる等）、遠隔操作式排水栓装置のみを交換することは困難であった。
又、前記遠隔操作式排水栓装置のみを交換できたとしても、スイッチ部やスイッチ軸が水栓に取り付けられている構造の場合では、スイッチ部と水栓は一体となって美観が生じる様にデザインされており、スイッチ部を取り替えると意匠性が低下してしまう。
従って、使用者は商品選択の際、自身が好むデザイン等を有する水栓やスイッチ部であり、且つ自身が好む構造の遠隔操作式排水栓装置を選ぶ必要があり、使用者の選択の幅を狭めてしまっていた。
【０００７】
そこで本発明は、上記構造の排水装置に設けられる遠隔操作式排水栓装置について、構造（棒状の伝達部、レリースワイヤ）及びスイッチ部の動作方法（押し引き動作、押し動作のみ）を使用者が施工前、施工後を問わず選択可能となることを可能とする補助部材の提供を課題とする。
又、当該補助部材については、種々の水栓に対応し、且つ水栓を取り替えることなく、又、スイッチ部を取り替えることなく、利便性の高いものにすることが可能であることを課題とする。
【０００８】
上記課題を解決する為の請求項１に記載の本発明は、湯水を吐出する水栓と、
槽体の底部に設けられた排水口と、
昇降運動によって前記排水口の開閉を行う弁体よりなる排水装置に設けられた、
前記弁体の昇降運動の操作を遠隔的に行うスイッチ部を有する遠隔操作式排水栓装置を形成する補助部材であって、
前記補助部材は、槽体や水栓等、所望の箇所に固定される固定部と、
前記スイッチ部と連続するスイッチ軸に連結される連結部と、
前記スイッチ軸と連結部の連結位置の調整を行う調整部と、
前記スイッチ部の操作を弁体に伝達するレリースワイヤからなることを特徴とする遠隔操作式排水栓装置の補助部材である。
【０００９】
請求項２に記載の本発明は、湯水を吐出する水栓と、
槽体の底部に設けられた排水口と、
昇降運動によって前記排水口の開閉を行う弁体よりなる排水装置に設けられた、
前記弁体の昇降運動の操作を行うスイッチ部と、
前記スイッチ部と連続するスイッチ軸と連動し、スイッチ部の操作を弁体に伝達する棒状の伝達部からなる遠隔操作式排水栓装置の改修に用いられる補助部材であって、
前記補助部材は、槽体や水栓等、所望の箇所に固定される固定部と、
前記遠隔操作式排水栓装置のスイッチ軸に連結される連結部と、
前記スイッチ部の操作を弁体に伝達するレリースワイヤからなり、
前記連結部が前記スイッチ軸に連結されることにより、前記棒状の伝達部をレリースワイヤに変更することを特徴とする遠隔操作式排水栓装置の補助部材である。
【００１０】
請求項３に記載の本発明は、前記棒状の伝達部を有する遠隔操作式排水栓装置が、スイッチ部を押し引き動作することによって前記弁体の昇降運動の操作を行う遠隔操作式排水栓装置であって、
前記補助部材は前記弁体の上昇状態若しくは下降状態を保持するロック機構を有し、
前記補助部材が前記スイッチ軸に連結されることで、前記スイッチ部を押し動作することのみによって前記弁体の昇降操作を行うことが可能となることを特徴とする請求項２に記載の遠隔操作式排水栓装置の補助部材である。
【００１１】
請求項４に記載の本発明は、湯水を吐出する水栓と、
槽体の底部に設けられた排水口と、
昇降運動によって前記排水口の開閉を行う弁体よりなる排水装置に設けられた、
押し引き動作に基づいて前記弁体の昇降運動の操作を行うスイッチ部と、
前記スイッチ部と連続するスイッチ軸と連動し、スイッチ部の操作を弁体に伝達する伝達部からなる遠隔操作式排水栓装置の改修に用いられる補助部材であって、
前記補助部材は、槽体や水栓等、所望の箇所に固定される固定部と、
前記遠隔操作式排水栓装置のスイッチ軸若しくは伝達部に連結される連結部と、
前記スイッチ部の操作を弁体に伝達するレリースワイヤと、
前記弁体の上昇状態若しくは下降状態を保持するロック機構からなり、
前記連結部が前記スイッチ軸若しくは伝達部に連結されることで、前記スイッチ部を押し動作することのみによって前記弁体の昇降操作を行うことが可能となることを特徴とする遠隔操作式排水栓装置の補助部材である。
【００１２】
請求項５に記載の本発明は、前記補助部材が、
前記スイッチ軸と連結部の連結位置の調整を行う調整部を有することを特徴とする請求項２乃至請求項４のいずれか１つに記載の遠隔操作式排水栓装置の補助部材である。
【００１３】
請求項６に記載の本発明は、前記スイッチ軸が、前記水栓に取り付けられていることを特徴とする請求項１乃至請求項５のいずれか１つに記載の遠隔操作式排水栓装置の補助部材である。
【００１４】
請求項７に記載の本発明は、前記固定部が、水栓下部の、水栓を固定する螺子部に固定されることを特徴とする請求項１乃至請求項６のいずれか１つに記載の遠隔操作式排水栓装置の補助部材である。
【００１５】
請求項８に記載の本発明は、槽体に湯水を吐水する水栓と、
槽体の底部に設けられた排水口と、
昇降運動によって前記排水口の開閉を行う弁体よりなる排水装置に設けられた、
押し引き動作によって前記弁体の昇降運動の操作を行うスイッチ部と、
前記スイッチ部と連続するスイッチ軸と、
前記スイッチ軸と連動して動作する棒状の伝達部からなる遠隔操作式排水栓装置の改修方法であって、
前記伝達部、及び伝達部が連通する排水口下方の配管部材を取り外し、
請求項２乃至請求項７のいずれか１つに記載の補助部材及び補助部材のレリースワイヤが取り付けられる新規の配管部材を前記配管部材に換えて接続し、
前記補助部材の固定部を固定し、
前記補助部材の連結部を前記スイッチ軸に連結して行うことを特徴とする遠隔操作式排水栓装置の改修方法である。
【００１６】
請求項９に記載の本発明は、前記補助部材の連結部を前記スイッチ軸に連結する際において、前記スイッチ軸を適宜長さにおいて切断した後に連結することを特徴とする請求項８に記載の遠隔操作式排水栓装置の改修方法である。
【００１７】
請求項１０に記載の本発明は、槽体に湯水を吐水する水栓と、
槽体の底部に設けられた排水口と、
昇降運動によって前記排水口の開閉を行う弁体と、
押し引き動作によって前記弁体の昇降運動の操作を行うスイッチ部と、
前記スイッチ部と連続するスイッチ軸と、
前記スイッチ軸と連動して進退を行うワイヤー状の伝達部からなる遠隔操作式排水栓装置の改修方法であって、
前記伝達部、及び伝達部が連通する排水口下方の配管部材を取り外し、
請求項４乃至請求項７のいずれか１つに記載の補助部材及び補助部材のレリースワイヤが取り付けられる新規の配管部材を前記配管部材に換えて接続し、
前記補助部材の固定部を固定し、
前記補助部材の連結部を前記スイッチ軸に連結して行うことを特徴とする遠隔操作式排水栓装置の改修方法である。
【発明の効果】
【００１８】
請求項１に記載の本発明においては、補助部材をスイッチ軸下方に連結することによって、簡単に遠隔操作式排水栓装置を形成することができる。又、補助部材が調整部を備えるため、スイッチ軸の設けられている角度を問わず、補助部材を連結させることができる。
【００１９】
請求項２及び請求項８に記載の本発明においては、棒状の伝達部を有する遠隔操作式排水栓装置のスイッチ軸に対して本発明の補助部材を連結させることによって、前記棒状の伝達部をレリースワイヤに変更することが可能となる。従って、遠隔操作式排水栓装置の改修に当たり、槽体の表面に露出している部分であるスイッチ部を取り替えることなく、遠隔操作式排水栓装置の改修を行うことが可能となる。
【００２０】
請求項３に記載の本発明においては、弁体の上昇状態を保持するロック機構を備えることにより、スイッチ部の押し引き動作によって弁体の昇降運動の操作を行っていた遠隔操作式排水栓装置を、スイッチ部の押し動作のみによって弁体の昇降運動の操作を行う遠隔操作式排水栓装置に改修することが可能となる。
【００２１】
請求項４及び請求項１０に記載の本発明においては、押し引き動作に基づいて弁体の昇降運動の操作を行う遠隔操作式排水栓装置のスイッチ軸に対して本発明の補助部材を連結させることによって、押し動作のみに基づいて弁体の昇降運動の操作を行う遠隔操作式排水栓装置に改修することが可能となる。
【００２２】
請求項５に記載の本発明においては、補助部材が調整部を備えるため、スイッチ軸の設けられている角度を問わず、補助部材を連結させることができる。
【００２３】
請求項６に記載の本発明においては、補助部材を使用する遠隔操作式排水栓装置の構造を明確にすることができる。又、本発明の補助部材はスイッチ軸に連結することで改修を行うため、スイッチ軸が水栓に取り付けられている遠隔操作式排水栓装置であっても何ら問題なく使用できる。
【００２４】
請求項７に記載の本発明においては、固定部を、水栓下部の螺子部を利用して固定することにより、別途ビスなどを使用する必要がない。
【００２５】
請求項９に記載の本発明においては、スイッチ軸を適宜位置にて切断することで、連結部との連結を容易にすることができる。
【図面の簡単な説明】
【００２６】
【図１】改修前の排水装置を示す、一部を切り欠きした側面図である。
【図２】第一実施形態の補助部材を示す斜視図である。
【図３】図１の排水装置より、配管部材を取り替えた状態を示す、一部を切り欠きした側面図である。
【図４】第一実施形態の本発明の補助部材の取り付け手順を示す斜視図である。
【図５】スイッチ軸を切断する工程を示す、一部を切り欠きした側面図である。
【図６】スイッチ軸を連結させた連結部を示す、一部を切り欠きした側面図である。
【図７】抜け止め部材の、他の形態を示す、一部を切り欠きした側面図である。
【図８】図１の排水装置が第一実施形態の補助部材によって改修された状態を示す、一部を切り欠きした側面図である。
【図９】図１の排水装置が第一実施形態の本発明の補助部材によって改修された状態を示す斜視図である。
【図１０】改修前の、他の排水装置を示す、一部を切り欠きした側面図である。
【図１１】図１０の排水装置が第二実施形態の補助部材によって改修された状態を示す、一部を切り欠きした側面図である。
【図１２】第二実施形態の補助部材を示す斜視図である。
【図１３】第二実施形態の補助部材の取り付け手順を示す斜視図である。
【図１４】図１０の排水装置が第二実施形態の補助部材によって改修された状態を示す斜視図である。
【図１５】第三実施形態の補助部材を示す斜視図である。
【発明を実施するための形態】
【００２７】
以下、図面を参照しながら本発明の第一実施形態を説明する。尚、以下に記載する発明は実施形態の理解を容易にする為のものであり、これによって発明が制限して理解されるものではない。又、特に断りがない限り、図１に示す断面図を基準として上下左右を説明する。
【００２８】
図１は本発明の補助部材３０によって改修される前の排水装置を示す、一部を切り欠きした側面図であり、大きく分けて、槽体１の底部の排水口４内に設けられた弁体７と、湯水等を吐水する水栓１０と、遠隔操作式排水栓装置２０により構成されている。尚、本実施形態において、槽体１は洗面ボウルである。
【００２９】
前記弁体７は周囲にパッキンが嵌着されており、弁体７の下降状態において当該パッキンと排水口４が当接することで、排水口４を閉塞状態にすることが可能となっている。又、弁体７は下方に弁軸８が延設されている。当該弁軸８は排水口４下端の配管部材５内部まで延び、弁軸８下端において、後述する伝達部２５と当接している。
【００３０】
水栓１０は湯水を吐水する混合栓であり、下方の螺子部１１より給湯管１２及び給水管１３が連結しており、槽体１の縁部２に設けられた貫通孔に挿通されて、下方からロックナット１５が螺子部１１に螺合することによって固定されている。又、水栓１０は後方より前記螺子部１１下端にかけて、後述する遠隔操作式排水栓装置２０のスイッチ部２１（スイッチ軸２２）が内部に貫通している。
尚、各図面において、発明の理解を容易にするため、前記給湯管１２及び給水管１３は水栓１０に接続されている端部以降を省略して記載している。
【００３１】
遠隔操作式排水栓装置２０は、スイッチ部２１、スイッチ軸２２、伝達部２５より構成されている。
【００３２】
スイッチ部２１は手動による押し引き動作が加えられる部分であって、スイッチ軸２２と連続しており、前記水栓１０後方から螺子部１１下端に掛けて、水栓１０の内部を貫通して取り付けられている。又、第一実施形態に係るスイッチ軸２２は槽体１の縁部２に対して略垂直に設けられている。
【００３３】
伝達部２５は略水平方向に設けられた棒状体であって、一端側において球形部２６を備えるとともに配管部材５内に連通しており、他端側において前記スイッチ軸２２と結合部材２９によって結合している。尚、前記球形部２６は配管部材５内であって、伝達部２５の連通部分近傍に配置されており、スイッチ部２１（スイッチ軸２２）に押し引き動作が加えられた際、伝達部２５は当該球形部２６を支点として駆動する。
即ち、伝達部２５はスイッチ部２１（スイッチ軸２２）の動きに連動して配管部材５側の端部が上下動する構造となっている。又、この時、伝達部２５は配管部材５側の端部において前記弁体７下端（弁軸８下端）と当接しているため、スイッチ部２１（スイッチ軸２２）押し引き動作を弁体７に伝達し、弁体７を昇降させることができる。
【００３４】
結合部材２９はスイッチ軸２２と伝達部２５を結合し、その結合箇所を任意の箇所に調節することが可能となっている。
【００３５】
次に、図２を使用して、本発明の補助部材３０を説明する。
【００３６】
補助部材３０は上方より、固定部３１、調整部３２、連結部３３、ロック機構３５、レリースワイヤ３７より構成されている。
固定部３１は略ドーナツ状且つ薄板のリング部材であって、内径が前記水栓１０下方の螺子部１１の外径よりも大径且つロックナット１５の外径よりも小径に形成されており、外周において調整部３２が回動可能に取り付けられている。又、固定部３１の外径は前記ロックナット１５の外径よりも大径に形成されている。
【００３７】
調整部３２は、前記固定部３１外周と連結部３３外周を繋ぐ板状体であり、各端部が固定部３１及び連結部３３の外周に回動可能に取り付けられている。又、調整部３２は固定部３１（連結部３３）の対向する位置に計２箇所設けられている。
即ち、調整部３２は固定部３１及び連結部３３のそれぞれにおいて回動可能に接続されているため、固定部３１に対する連結部３３の位置を所望の位置に適宜調整可能となっている。
【００３８】
連結部３３は内部に後述するロック機構３５を備えるケーシング部材であり、上部に前記スイッチ軸２２が連通する孔を有する蓋３４を備えている。又、連結部３３はその外周より前記調整部３２と回動可能に連結する筒が計２箇所形成されている。
【００３９】
ロック機構３５は内部に図示しないギア及びスプリングを有する公知のスラストロック機構であり、ロック軸３６を上下動させる毎にロック機構３５下端に連結されているレリースワイヤ３７内部のインナーワイヤを進出／後退させ、且つ、当該進出／後退位置を保持することができる機構である。尚、インナーワイヤの進出位置は前記ギアの噛み合わせにより保持し、後退位置は前記スプリングによって保持する。
【００４０】
レリースワイヤ３７は外側を覆うアウターチューブと内部のワイヤ材であるインナーワイヤより構成され、軸方向に剛性を有し、側面方向に可撓性を有する。又、レリースワイヤ３７は前記ロック機構３５の作動に合わせて、内部のインナーワイヤが進出／後退することによって前記スイッチ部２１の動作を弁体７へと伝達することができる。
【００４１】
上記の補助部材３０は、以下のようにして取り付けられる。
【００４２】
まず、図３に示すように、排水口４下方の配管部材５を、本発明の補助部材３０のレリースワイヤ３７が連通している新規の配管部材５１と交換する。又、この時必要であれば、弁体７を前記レリースワイヤ３７に対応した弁体７１と交換することが望ましい。
【００４３】
次に、図４に示すように、水栓１０下方の螺子部１１よりロックナット１５を取り外し、当該螺子部１１に補助部材３０の固定部３１を挿通し、再びロックナット１５を螺子部１１に螺合させる。この時、固定部３１の内径は螺子部１１の外径より大径であり、且つ固定部３１の外径はロックナット１５の外径よりも小径に形成されているため、ロックナット１５を螺子部１１に螺合させると、固定部３１は槽体１の縁部２とロックナット１５によって挟持固定される。一方で、連結部３３は調整部３２によって、固定部３１に対して回動可能となっている。
【００４４】
次に、図５に示すように、スイッチ軸２２を適宜位置にて切断する。（本実施形態では、図５において切断箇所を一点鎖線にて図示している。）この時、スイッチ軸２２は連結部３３端部よりもやや長い程度の位置において切断することが望ましい。
【００４５】
スイッチ軸２２を切断した後、スイッチ軸２２を前記連結部３３の蓋３４の孔に挿通させ、当該スイッチ軸２２の端部に抜け止め部材４０を取り付ける。
尚、抜け止め部材４０は、前記蓋３４に設けられた孔よりも大径に形成されている。
【００４６】
そして、抜け止め部材４０が取り付けられた状態でスイッチ軸２２を引き上げ、連結部３３の位置を調整しながら、スイッチ軸２２端部を連結部３３内部に挿入し、当該挿入後、前記蓋３４を連結部３３に螺合させる。
この時、補助部材３０は調整部３２を有するため、スイッチ軸２２の位置に連結部３３を合わせることが可能である。
又、前記抜け止め部材４０は、図６に示すように、蓋３４の孔よりも大径であるため、スイッチ軸２２は軸方向に移動可能であるが、スイッチ軸２２が連結部３３より抜け落ちることはない。  
【００４７】
尚、抜け止め部材４０の取付方法に関しては接着・カシメなど、種々の取付方を採用しても良く、又、図７に示すように、ナット部材とパッキンを使用して取り付けても良い。
【００４８】
上記のように補助部材３０が取り付けられた図８及び図９に示す遠隔操作式排水栓装置２０は、以下のように作動することで弁体７を昇降させる。
【００４９】
まず、排水口４が閉塞状態の時に、使用者がスイッチ部２１を押動すると、当該押動に伴い、スイッチ部２１及びスイッチ軸２２が下方へと押し下げられる。この時、スイッチ軸２２は連結部３３と連結しているため、連結部３３内のロック軸３６と当接し、スイッチ軸２２の動きと連動してロック軸３６も下方へと押し下げられる。又、ロック軸３６が下方へと押し下げられることにより、当該ロック機構３５下端に連結されているレリースワイヤ３７のインナーワイヤが進出し、弁体７１が上昇する。
ここで、ロック軸３６が下限位置近傍まで押し下げられた時、ロック機構３５が作動し、内部のギアが噛み合うことによってレリースワイヤ３７のインナーワイヤの進出状態が保持される。即ち、弁体７１の上昇状態（排水口４の開放状態）が保持される。
尚、この時、上記ロック軸３６、スイッチ軸２２、スイッチ部２１は押動前の状態よりもやや下方に位置する。
【００５０】
次に、上記弁体７１の上昇状態（排水口４の開放状態）において、再び使用者がスイッチ部２１を押動すると、当該押動に伴い、スイッチ部２１及びスイッチ軸２２が下方へと押し下げられる。この時、前記ロック機構３５が再び作動し、レリースワイヤ３７のインナーワイヤの進出状態が解除される。この時、インナーワイヤはロック機構３５内部の図示しないスプリングによって後退し、後退状態が保持される。従って、弁体７１は自重により下降し、弁体７１に嵌着されたパッキンが排水口４と当接することで、排水口４が閉塞状態となるとともに、弁体７１の下降状態（排水口４の閉塞状態）が保持される。
【００５１】
以上のように、本発明の補助部材３０においては、水栓１０及びスイッチ部２１を取り替えることなく、スイッチ部２１の伝達部２５をレリースワイヤ３７に交換することが可能となり、遠隔操作式排水栓装置２０の利便性が向上する。又、上記第一実施形態に係る補助部材３０はロック機構３５を有するため、改修前においてはスイッチ部２１を押し引きすることによって弁体７の昇降運動の操作を行っていたが、補助部材３０を取り付けた後においては上記の通り、押し動作のみによって弁体７１の昇降運動の操作を行うことが可能となる。
【００５２】
又、本発明における補助部材３０は固定部３１によって螺子部１１に固定されているため、スイッチ軸２２の押動に伴う押し下げの際に、ロック機構３５がスイッチ軸２２と連動して押し下げられること無く、ロック軸３６のみがスイッチ部２１の押し動作によって押し下げられる。
【００５３】
又、上記連結部３３は調整部３２によって固定部３１と繋がっているため、例えば図１０に示す、補助部材３０を取り付ける前のスイッチ部２１及びスイッチ軸２２が槽体１の縁部２に対して傾斜して設けられる場合であっても、図１１に示すように連結部３３の位置をスイッチ軸２２の方向に対応させることが可能である。
【００５４】
又、上記連結部３３はスイッチ軸２２を切断し、該切断端部に連結されていたが、伝達部２５の一部を切断して連結されても良い。
【００５５】
又、本発明の第一実施形態において、連結部３３はロック機構３５を備えるケーシング部材であったが、本発明はこれに限られるものではない。例えば、図１２乃至図１４に示す本発明の第二実施形態のように、スイッチ軸２２が挿通可能な筒状部よりなる連結部３３であってもよい。
上記第二実施形態に係る連結部３３はロック軸３６端部に連続して形成されており、スイッチ軸２２が挿通可能な筒状部を有している。当該連結部３３においては、上記筒状部内にスイッチ軸２２を挿通した後、筒状部の外側より螺子等によって締め付けることでスイッチ軸２２との連結が完了する。
上記第二実施形態に係る連結部３３においては、スイッチ軸２２を切断する必要が無く、作業効率に優れている。
【００５６】
又、上記第一実施形態及び第二実施形態において、固定部３１は略ドーナツ状且つ薄板のリング部材であり、ロックナット１５を一度取り外すことにより固定されていたが、図１５に示す本発明の第三実施形態のように、固定部３１の一部に切り欠きが設けられていても良い。この場合においては、ロックナット１５を緩める等して隙間を作り、当該隙間に固定部３１を差し込んだ上でロックナット１５を締めるだけで補助部材３０の固定が完了する。
【００５７】
又、上記第一実施形態乃至第三実施形態において、補助部材３０が取り付けられる前の伝達部２５は棒状の伝達部２５であったが、本発明は上記構造に限られるものではない。例えば、補助部材３０が取り付けられる前の伝達部２５が、スイッチ部２１の押し引き動作によって進出／後退を行うレリースワイヤであっても良い。この場合においても前記第一実施形態乃至第三実施形態と同様の部材と手順を用いて本発明の補助部材３０を取り付けることが可能であり、スイッチ部２１の押し引き動作によって進出／後退を行っていたレリースワイヤを、スイッチ部２１の押し動作のみによって進出／後退を行うレリースワイヤにすることが可能となる。
【００５８】
又、上記第一実施形態乃至第三実施形態において、補助部材３０はスラストロック機構からなるロック機構３５を備えていたが、本発明の補助部材３０は上記構造に限られるものではなく、種々のロック機構３５を備えていても良い。
又、一方で、補助部材３０がロック機構３５を備えていなくとも良く、スイッチ軸２２や抜け止め部材４０とレリースワイヤ３７が直接連結しても良い。この場合においては、スイッチ部２１は押し引き動作によって弁体７１の昇降運動を操作することとなるが、ロック機構３５を有する場合と比べて部材点数を省略することができるため、安価となる。また、レリースワイヤ３７に変更することで、スイッチ部２１の押し引きの長さを短くすることができる場合が多く、その点でも有利である。
【００５９】
又、上記第一実施形態乃至第三実施形態において、補助部材３０の固定部３１は全て水栓下部の螺子部１１に固定されていたが、槽体１の縁部２裏側より螺子止めを行う等、種々の場所に種々の方法によって固定されていても良い。
【００６０】
又、上記第一実施形態乃至第三実施形態において、補助部材３０の調整部３２は固定部３１外周と連結部３３外周を繋ぐ板状体であったが、本発明はこれに限られるものではない。又、固定部３１及びスイッチ軸２２に対する連結部３３の位置を調整する構造についても上記第一実施形態乃至第三実施形態に記載した構造に限られるものではない。又、上記第一実施形態乃至第三実施形態に記載した調整部３２は前述の通り、各端部が固定部３１及び連結部３３の外周に回動可能に取り付けられているが、スイッチ軸２２が連結部３３と連結した後においては、図示しないビス等によって回動不可能に固定することができても良い。この場合においては固定部３１及びスイッチ軸２２と連結部３３との相対位置が完全に固定されるため、スイッチ部２１の動作がより正確に伝達される。
【００６１】
又、上記第一実施形態乃至第三実施形態において、補助部材３０は既設の遠隔操作式排水栓装置２０の改修のために使用されていたが、本発明はこれに限るものではない。例えば、既設の遠隔操作式排水栓装置２０が破損した場合の修理に使用しても良く、又、遠隔操作式排水栓装置２０の施工前若しくは施工時において、最初から本発明の補助部材３０を使用しても良いものである。
即ち、使用者は、遠隔操作式排水栓装置２０の構造（棒状の伝達部、レリースワイヤ）及びスイッチ部の動作方法（押し引き動作、押し動作のみ）を自身で選択することができる。従って、使用者が好むデザインの水栓１０やスイッチ部２１を有するものについて、遠隔操作式排水栓装置２０の構造やスイッチ部２１の動作方法を理由に選択の幅を狭めてしまうことがない。
【符号の説明】
【００６２】
１    槽体
２    縁部
４    排水口
５、５１  配管部材
７、７１  弁体
１０  水栓
２０  遠隔操作式排水栓装置
２１  スイッチ部
２２  スイッチ軸
２５  伝達部
３０  補助部材
３１  固定部
３２  調整部
３３  連結部
３５  ロック機構
３７  レリースワイヤ
【要約】      （修正有）【課題】排水装置に設けられる遠隔操作式排水栓装置について、構造（棒状の伝達部、レリースワイヤ）及びスイッチ部の動作方法（押し引き動作、押し動作のみ）を使用者が施工前、施工後を問わず選択可能となることを可能とし、又、種々の水栓に対応し、且つ水栓を取り替えることなく、又、スイッチ部を取り替えることなく、利便性の高いものに改修することが可能な補助部材を提供する。【解決手段】排水口４の開閉を行う弁体７１の昇降運動の操作を遠隔的に行うスイッチ部２１を有する遠隔操作式排水栓装置を形成する補助部材３０であって、槽体１や水栓１０等、所望の箇所に固定される固定部３１と、スイッチ部２１と連続するスイッチ軸２２に連結される連結部３３と、スイッチ軸２２と連結部３３の連結位置の調整を行う調整部３２と、スイッチ部２１の操作を弁体７１に伝達するレリースワイヤ３７とからなる。【選択図】図３【図１】
0005412621.tif 000002
【図２】
0005412621.tif 000003
【図３】
0005412621.tif 000004
【図４】
0005412621.tif 000005
【図５】
0005412621.tif 000006
【図６】
0005412621.tif 000007
【図７】
0005412621.tif 000008
【図８】
0005412621.tif 000009
【図９】
0005412621.tif 000010
【図１０】
0005412621.tif 000011
【図１１】
0005412621.tif 000012
【図１２】
0005412621.tif 000013
【図１３】
0005412621.tif 000014
【図１４】
0005412621.tif 000015
【図１５】
0005412621.tif 000016